(57)【要約】システムアクセスのためにメッセージを送信する技法が記載される。一つの面で、ユーザ機器（ＵＥ）はシステムアクセスのための電力ヘッドルーム及び／又はバッファサイズ情報を備えた第１のメッセージを送信する。ノードＢは電力ヘッドルーム及び／又はバッファサイズ情報に基づいた少なくとも１つのパラメータ（例、リソース許可、電力制御情報等）を判定する。ノードＢはパラメータを含む第２のメッセージを送信する。ＵＥはパラメータに基づいて、例えば、リソース許可により示されるアップリンクリソースで、電力制御情報等に基づいて判定された送信電力等で、第３のメッセージを送信する。別の面で、ＵＥは第３のメッセージで無線環境報告書を送信する。報告書はＵＥのための周波数及び／又はセルを選択するために用いられ得る。また別の面で、第２のメッセージは電力制御情報を含み、ＵＥは電力制御情報に基づいて第３のメッセージを送信する。
2010508785.tif 000002
【特許請求の範囲】
【請求項１】
ユーザ機器（ＵＥ）によるシステムアクセスのための電力ヘッドルーム情報を含む第１のメッセージを送信し、前記電力ヘッドルーム情報に基づいて判定された少なくとも１つのパラメータを含む第２のメッセージを受信し、且つ、前記少なくとも１つのパラメータに基づいて第３のメッセージを送信するように構成された、少なくとも１つのプロセッサと、
前記少なくとも１つのプロセッサに結合されるメモリと
を備える、無線通信用の装置。
【請求項２】
前記電力ヘッドルーム情報は、前記ＵＥにおける最大の送信電力と、前記第１のメッセージに用いられた送信電力との間の差異を示す、請求項１記載の装置。
【請求項３】
前記電力ヘッドルーム情報は、前記ＵＥにおける最大の送信電力と、前記第１のメッセージに用いられた送信電力との間の差異が閾値を越えるかどうかを示す、請求項１記載の装置。
【請求項４】
前記第１のメッセージはバッファサイズ情報を更に含み、また、前記少なくとも１つのパラメータは前記バッファサイズ情報に更に基づいて判定される、請求項１記載の装置。
【請求項５】
前記少なくとも１つのプロセッサは、前記電力ヘッドルーム情報と前記バッファサイズ情報とを結合し、前記結合された電力ヘッドルーム情報及びバッファサイズ情報に基づいて前記第３のメッセージのメッセージサイズを選択し、且つ、前記選択されたメッセージサイズを前記第１のメッセージ中で送信するように構成される、請求項４記載の装置。
【請求項６】
前記少なくとも１つのパラメータはリソース許可を含み、また、前記少なくとも１つのプロセッサは前記リソース許可によって示されるアップリンクリソースを用いて前記第３のメッセージを送信するように構成される、請求項１記載の装置。
【請求項７】
前記少なくとも１つのパラメータは電力制御情報を含み、また、前記少なくとも１つのプロセッサは、前記電力制御情報に基づいて判定される送信電力を用いて前記第３のメッセージを送信するように構成される、請求項１記載の装置。
【請求項８】
前記第１のメッセージはランダムアクセスプリアンブルを含み、且つ、前記ＵＥによるシステムアクセスのために最初に送信される、請求項１記載の装置。
【請求項９】
前記少なくとも１つのプロセッサは、前記ＵＥによる前記システムアクセスのためにランダムアクセスプリアンブルを送信し、ランダムアクセス応答を受信し、且つ、前記ランダムアクセス応答の受信に応答して前記第１のメッセージを送信するように構成される、請求項１記載の装置。
【請求項１０】
ユーザ機器（ＵＥ）によるシステムアクセスのための電力ヘッドルーム情報を含む第１のメッセージを送信し、
前記電力ヘッドルーム情報に基づいて判定された少なくとも１つのパラメータを含む第２のメッセージを受信し、
前記少なくとも１つのパラメータに基づいて第３のメッセージを送信する
ことを含む、無線通信のための方法。
【請求項１１】
前記第１のメッセージを前記送信することは、
前記電力ヘッドルーム情報とバッファサイズ情報とを含む前記第１のメッセージを送信することを含み、前記少なくとも１つのパラメータは前記バッファサイズ情報に更に基づいて判定される、請求項１０記載の方法。
【請求項１２】
前記電力ヘッドルーム情報と前記バッファサイズ情報とを結合し、
前記結合された電力ヘッドルーム情報及びバッファサイズ情報に基づいて前記第３のメッセージのメッセージサイズを選択する
ことを更に含み、前記選択されたメッセージサイズは前記第１のメッセージ中で送信される、請求項１１記載の方法。
【請求項１３】
前記少なくとも１つのパラメータはリソース許可を含み、前記第３のメッセージを前記送信することは、前記リソース許可によって示されるアップリンクリソースを用いて前記第３のメッセージを送信することを含む、請求項１０記載の方法。
【請求項１４】
ユーザ機器（ＵＥ）によるシステムアクセスのために電力ヘッドルーム情報を含む第１のメッセージを送信する手段と、
前記電力ヘッドルーム情報に基づいて判定される少なくとも１つのパラメータを含む第２のメッセージを受信する手段と、
前記少なくとも１つのパラメータに基づいて第３のメッセージを送信する手段と
を備える、無線通信用の装置。
【請求項１５】
前記第１のメッセージを送信する前記手段は、前記電力ヘッドルーム情報とバッファサイズ情報とを含む前記第１のメッセージを送信する手段を備え、前記少なくとも１つのパラメータは前記バッファサイズ情報に更に基づいて判定される、請求項１４記載の装置。
【請求項１６】
前記電力ヘッドルーム情報と前記バッファサイズ情報とを結合する手段と、
前記結合された電力ヘッドルーム情報及びバッファサイズ情報に基づいて前記第３のメッセージのメッセージサイズを選択する手段と
を更に備え、前記選択されたメッセージサイズが前記第１のメッセージ中で送信される、請求項１５記載の装置。
【請求項１７】
前記少なくとも１つのパラメータはリソース許可を含み、また、前記第３のメッセージを送信する前記手段は、前記リソース許可によって示されるアップリンクリソースを用いて前記第３のメッセージを送信する手段を備える、請求項１４記載の装置。
【請求項１８】
機械によって実行されたときに、前記機械に
ユーザ機器（ＵＥ）によるシステムアクセスのために電力ヘッドルーム情報を含む第１のメッセージを送信し、
前記電力ヘッドルーム情報に基づいて判定される少なくとも１つのパラメータを含む第２のメッセージを受信し、
前記少なくとも１つのパラメータに基づいて第３のメッセージを送信する
ことを含む動作を行なわせる命令を備える、機械読み取り可能な媒体。
【請求項１９】
システムアクセスのためにユーザ機器（ＵＥ）によって送信される電力ヘッドルーム情報を含む第１のメッセージを受信し、前記電力ヘッドルーム情報に基づいて少なくとも１つのパラメータを判定し、前記少なくとも１つのパラメータを含む第２のメッセージを受信し、且つ、前記少なくとも１つのパラメータに基づいて前記ＵＥによって送信される第３のメッセージを受信するように構成された、少なくとも１つのプロセッサと、
前記少なくとも１つのプロセッサに結合されるメモリと
を備える、無線通信用の装置。
【請求項２０】
前記第１のメッセージはバッファサイズ情報を更に含み、前記少なくとも１つのプロセッサは、前記バッファサイズ情報に更に基づいて前記少なくとも１つのパラメータを判定するように構成される、請求項１９記載の装置。
【請求項２１】
前記少なくとも１つのプロセッサは、前記電力ヘッドルーム情報と前記バッファサイズ情報とに基づいて前記ＵＥのためのリソース許可を判定するように構成される、請求項２０記載の装置。
【請求項２２】
ユーザ機器（ＵＥ）によるシステムアクセスのためのランダムアクセス手順を行ない、且つ、前記ランダムアクセス手順の期間に無線環境報告書を含むメッセージを送信するように構成された、少なくとも１つのプロセッサと、
前記少なくとも１つのプロセッサに結合されたメモリと
を備える、無線通信用の装置。
【請求項２３】
前記無線環境報告書は、複数のセル、複数の周波数、及び複数システムのうちの少なくとも１つについてのパイロット測定を含む、請求項２２記載の装置。
【請求項２４】
前記少なくとも１つのプロセッサは、ランダムアクセスプリアンブルを送信し、ランダムアクセス応答を受信し、且つ、前記ランダムアクセス応答の受信に応答して前記無線環境報告書を含む前記メッセージを送信するように構成される、請求項２２記載の装置。
【請求項２５】
前記少なくとも１つのプロセッサは、第１の基地局から第２の基地局へのハンドオーバのための前記ランダムアクセス手順を行なうように構成される、請求項２２記載の装置。
【請求項２６】
システムアクセスのためにユーザ機器（ＵＥ）によって送信されるランダムアクセスプリアンブルを受信し、ランダムアクセス応答を前記ＵＥへ送信し、且つ、前記ＵＥからの無線環境報告書を含むメッセージを受信するように構成された、少なくとも１つのプロセッサと、
前記少なくとも１つのプロセッサに結合されるメモリと
を備える、無線通信用の装置。
【請求項２７】
前記少なくとも１つのプロセッサは、前記無線環境報告書に基づいて前記ＵＥのための周波数又はセルを判定するように構成される、請求項２６記載の装置。
【請求項２８】
ユーザ機器（ＵＥ）によるシステムアクセスのために第１のメッセージを送信し、電力制御情報を含む第２のメッセージを受信し、且つ、前記電力制御情報に基づいて判定される送信電力を用いて第３のメッセージを送信するように構成された、少なくとも１つのプロセッサと、
前記少なくとも１つのプロセッサに結合されるメモリと
を備える、無線通信用の装置。
【請求項２９】
前記少なくとも１つのプロセッサは、前記第１のメッセージ中で電力ヘッドルーム情報を送信するように構成され、前記電力制御情報は前記電力ヘッドルーム情報に基づいて判定される、請求項２８記載の装置。
【請求項３０】
前記少なくとも１つのプロセッサは、前記第１のメッセージの送信電力と前記電力制御情報とに基づいて前記第３のメッセージの送信電力を判定するように構成される、請求項２８記載の装置。
【請求項３１】
前記電力制御情報は、送信電力の増加若しくは減少の量を示し、又は送信電力を所定の量だけ増加させるか減少させるかどうかを示す、請求項２８記載の装置。
【請求項３２】
前記少なくとも１つのプロセッサは、前記第１のメッセージ中でチャネル品質指標（ＣＱＩ）を送信し、且つ、変調及び符号化スキーム（ＭＣＳ）を用いて、又は、前記ＣＱＩに基づいて判定される送信電力を用いて、送信される前記第２のメッセージを受信するように構成される、請求項２８記載の装置。
【請求項３３】
ユーザ設備（ＵＥ）によるシステムアクセスのために第１のメッセージを送信し、
電力制御情報を含む第２のメッセージを受信し、
前記電力制御情報に基づいて判定された送信電力を用いて第３のメッセージを送信する
ことを含む、無線通信のための方法。
【請求項３４】
前記第１のメッセージを前記送信することは、前記第１のメッセージ中で電力ヘッドルーム情報を送信することを含み、前記電力制御情報は前記電力ヘッドルーム情報に基づいて判定される、請求項３３記載の方法。
【請求項３５】
前記第１のメッセージの送信電力と前記電力制御情報とに基づいて前記第３のメッセージの送信電力判定する
ことを更に含む、請求項３３記載の方法。
【請求項３６】
システムアクセスのためにユーザ機器（ＵＥ）によって送信される第１のメッセージを受信し、電力制御情報を含む第２のメッセージを前記ＵＥへ送信し、且つ、前記電力制御情報に基づいて判定された送信電力を用いて前記ＵＥによって送信される第３のメッセージを受信するように構成された、少なくとも１つのプロセッサと、
前記少なくとも１つのプロセッサに結合されるメモリと
を備える、無線通信用の装置。
【請求項３７】
前記少なくとも１つのプロセッサは、前記第１のメッセージ中で電力ヘッドルーム情報を受信し、前記第１のメッセージの受信された信号品質を判定し、且つ、前記電力ヘッドルーム情報と前記受信された信号品質とに基づいて前記電力制御情報を判定するように構成される、請求項３６記載の装置。
【請求項３８】
前記少なくとも１つのプロセッサは、前記第１のメッセージ中でチャネル品質指標（ＣＱＩ）を受信し、且つ、前記ＣＱＩに基づいて前記第２のメッセージの送信電力又は変調及び符号化スキーム（ＭＣＳ）を判定するように構成される、請求項３６記載の装置。
【発明の詳細な説明】
【優先権の主張】
【０００１】
本願は、２００６年１０月３１日に出願され、本願の譲受人に譲渡され、参照によって本明細書に組み込まれる、「RANDOM ACCESS FOR WIRELESS COMMUNICATION（無線通信用ランダムアクセス）」と題された、米国仮特許出願第６０／８５５，９０３号の優先権を主張する。
【技術分野】
【０００２】
本開示は、一般に通信に関し、特に無線通信システムにアクセスする技法に関する。
【背景技術】
【０００３】
無線通信システムは、音声、ビデオ、パケットデータ、メッセージ、ブロードキャスト等といった種々の通信コンテンツを供給するために広く展開されている。これらの無線システムは、利用可能なシステムリソースを共有することによって、複数のユーザをサポートすることができる多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、直交ＦＤＭＡ（ＯＦＤＭＡ）システム、及びシングルキャリアＦＤＭＡ（ＳＣ−ＦＤＭＡ）が含まれる。
【０００４】
無線通信システムは、任意の数のユーザ機器（ＵＥ）のための通信をサポートすることができる任意の数のノードＢを備え得る。ＵＥはダウンリンクとアップリンク上の送信を介してノードＢと通信してもよい。ダウンリンク（あるいは順方向リンク）は、ノードＢからＵＥまでの通信リンクを指し、アップリンク（あるいは逆方向リンク）は、ＵＥからノードＢまでの通信リンクを指す。
【０００５】
ＵＥがシステムへのアクセスを獲得することを望む場合、ＵＥはアップリンク上でランダムアクセスプリアンブル（あるいはアクセスプローブ）を送信してもよい。ノードＢはランダムアクセスプリアンブルを受信し、ＵＥのための関連情報を含み得るランダムアクセス応答（あるいはアクセス許可）で応答してもよい。ＵＥとノードＢは、ＵＥのためのシステムアクセスを完了するための付加的なメッセージを交換してもよい。アップリンクリソースはアップリンクでメッセージを送信するために消費され、またダウンリンクリソースはシステムアクセスのためにダウンリンクでメッセージを送信するために消費される。従って、システムアクセスのためのメッセージを効率的に送信する技法への必要が当技術分野にはある。
【発明の概要】
【０００６】
システムアクセスのためのメッセージを送信するための技法が本明細書に記載される。一つの面において、ＵＥは、システムアクセスのためのバッファサイズ情報及び／又は電力ヘッドルーム情報を含む第１のメッセージ（例えば、ランダムアクセスプリアンブル）を送信し得る。ノードＢは、電力ヘッドルーム及び／又はバッファサイズ情報に基づいて少なくとも１つのパラメータ（例えば、リソース許可、電力制御情報等）を判定し得る。ノードＢは、少なくとも１つのパラメータを含む第２のメッセージ（例えば、ランダムアクセス応答）を返し得る。ＵＥは、次いで、少なくとも１つのパラメータに基づいて第３のメッセージを送信し得る。例えば、ＵＥは、リソース許可によって示されたアップリンクリソースを用いて、電力制御情報に基づいて判定された送信電力を用いる等して、第３のメッセージを送信し得る。
【０００７】
別の面において、ＵＥは、第３のメッセージ中で無線環境報告を送信し得る。この報告書は、複数のセル、複数の周波数、及び／又は複数システムのためのパイロット測定値（pilot measurements）を含み得る。報告書は、ＵＥのための周波数及び／又はセルを選択するために用いられてもよい。
【０００８】
また別の面において、ＵＥは、第２のメッセージ中で電力制御情報を受信し、電力制御情報に基づいて判定された送信電力を用いて第３のメッセージを送信し得る。ノードＢは、第１のメッセージの受信された信号品質、第1のメッセージ中で送信された電力ヘッドルーム情報等に基づいて電力制御情報を判定してもよい。ＵＥは、第２のメッセージ中で受信された電力制御情報及び第１のメッセージに用いられた送信電力に基づいて第３のメッセージのための送信電力を判定してもよい。
【０００９】
本開示の種々の面及び特徴は、より詳細に以下に記載される。
【図面の簡単な説明】
【００１０】
【図１】図１は、無線多元接続通信システムを示す。
【図２】図２は、ノードＢ及びＵＥのブロック図を示す。
【図３】図３は、最初のアクセス手順を示す。
【図４】図４は、フォワードハンドオーバのためのアクセス手順を示す。
【図５】図５は、基本的なハンドオーバのためのアクセス手順を示す。
【図６】図６は、ＵＥによってシステムアクセスを行なうための処理を示す。
【図７】図７は、ＵＥによってシステムアクセスを行なうための装置を示す。
【図８】図８は、ノードＢによってシステムアクセスをサポートするための処理を示す。
【図９】図９は、ノードＢによってシステムアクセスをサポートするための装置を示す。
【図１０】図１０は、ＵＥによってシステムアクセスを行なうための別の処理を示す。
【図１１】図１１は、ＵＥによってシステムアクセスを行なうための別の装置を示す。
【図１２】図１２は、ノードＢによってシステムアクセスをサポートするための別の処理を示す。
【図１３】図１３は、ノードＢによってシステムアクセスをサポートするための別の装置を示す。
【図１４】図１４は、ＵＥによってシステムアクセスを行なうためのまた別の処理を示す。
【図１５】図１５は、ＵＥによってシステムアクセスを行なうためのまた別の装置を示す。
【図１６】図１６は、ノードＢによってシステムアクセスをサポートするためのまた別の処理を示す。
【図１７】図１７は、ノードＢによってシステムアクセスをサポートするためのまた別の装置を示す。
【詳細な説明】
【００１１】
本明細書に記載される技法は、ＣＤＭＡ、ＴＤＭＡ、ＦＤＭＡ、ＯＦＤＭＡ、ＳＣ−ＦＤＭＡ及び他のシステムといった種々の無線通信システムに使用され得る。「システム」及び「ネットワーク」という用語は、しばしば互換的に使用される。ＣＤＭＡシステムは、ＵＴＲＡ（Universal Terrestrial Radio Access）、ｃｄｍａ２０００等といった無線技術を実施してもよい。ＵＴＲＡは広帯域ＣＤＭＡ（Ｗ−ＣＤＭＡ）及び他のＣＤＭＡの変形を含む。ｃｄｍａ２０００はＩＳ−２０００標準、ＩＳ−９５標準及びＩＳ−８５６標準をカバーする。ＴＤＭＡシステムは、グローバル移動体通信システム（ＧＳＭ）といった無線技術を実施してもよい。ＯＦＤＭＡシステムは、発展型ＵＴＲＡ（Ｅ−ＵＴＲＡ）、ＵＭＢ（Ultra Mobile Broadband）、ＩＥＥＥ  ８０２．１１（Ｗｉ−Ｆｉ）、ＩＥＥＥ  ８０２．１６（ＷｉＭＡＸ）、ＩＥＥＥ ８０２．２０、フラッシュＯＦＤＭ（登録商標）等といった無線技術を実施してもよい。ＵＴＲＡ、Ｅ−ＵＴＲＡ及びＧＳＭはＵＭＴＳ（Universal Mobile Telecommunication System）の一部である。３ＧＰＰのＬＴＥ（Long Term Evolution）はＥ−ＵＴＲＡを使用するＵＭＴＳの来たるリリースであるが、これはダウンリンク上ではＯＦＤＭＡを、アップリンク上ではＳＣ−ＦＤＭＡを使用する。ＵＴＲＡ、Ｅ−ＵＴＲＡ、ＧＳＭ、ＵＭＴＳ及びＬＴＥは「第３世代パートナーシッププロジェクト」（３ＧＰＰ）と名付けられた組織からの文献に記載されている。ｃｄｍａ２０００とＵＭＢは、「第３世代パートナーシッププロジェクト２」（３ＧＰＰ２）と名付けられた組織からの文献に記載されている。これらの種々の無線技術及び標準は当技術分野で公知である。明確にするために、技法の特定の面は、ＬＴＥにおけるシステムアクセスについて以下に記載され、また、３ＧＰＰの用語は、以下の記載の大部分で使用される。
【００１２】
図１は、複数のノードＢ１１０を備えた無線多元接続通信システム１００を示す。ノードＢは、ＵＥと通信するために使用される固定された局であってよく、また、発展型ノードＢ（ｅＮＢ）、基地局、アクセスポイント等と称されてもよい。各ノードＢ１１０は特定の地理的な領域に通信カバレッジを供給する。各ノードＢ１１０の全体的なカバレッジ領域は複数（例えば、３つ）のより小さな領域へ分割されてもよい。３ＧＰＰでは、「セル」という用語は、ノードＢの最小のカバレッジ領域、及び／又は、このカバレッジ領域にサービスするノードＢサブシステムを指すことができる。他のシステムでは、「セクタ」という用語は、最小のカバレッジ領域、及び／又は、このカバレッジ領域にサービスするサブシステムを指すことができる。明確にするために、３ＧＰＰのセルの概念が、以下の記載において使用される。
【００１３】
ＵＥ１２０はシステムの全体にわたって分散されてもよい。ＵＥは固定されていても、移動可能であってもよく、また、移動局、端末、アクセス端末、加入者ユニット、局等とも称され得る。ＵＥは、携帯電話、パーソナルデジタルアシスタント（ＰＤＡ）、無線モデム、無線通信装置、ハンドヘルド装置、ラップトップ型コンピュータ、コードレス電話等であってもよい。ＵＥはダウンリンク及びアップリンク上の送信を介して１つ又は複数のノードＢと通信し得る。
【００１４】
システムコントローラ１３０は、ノードＢ１１０に結合し、ノードＢのための調整及び制御を供給し得る。システムコントローラ１３０は、単独のネットワークエンティティあるいはネットワークエンティティの集まり（collection）であってもよい。
【００１５】
図２は、ノードＢ１１０及びＵＥ１２０の設計のブロック図を示すが、これらは図1のノードＢのうちの１つ及びＵＥのうちの１つである。この設計において、ノードＢ１１０は、Ｔ本のアンテナ２２６ａ乃至２２６ｔを装備し、ＵＥ１２０は、Ｒ本のアンテナ２５２ａ乃至２５２ｒを装備し、ここで一般に、
【数１】
2010508785.tif 000003
【００１６】
である。各アンテナは物理的なアンテナあるいはアンテナアレーであってもよい。
【００１７】
ノードＢ１１０では、送信（ＴＸ）データプロセッサ２２０は、データソース２１２から１つ又は複数のＵＥのためのトラヒックデータを受信してもよい。ＴＸデータプロセッサ２２０は、各ＵＥのトラヒックデータを、当該ＵＥに対して選択された１つ又は複数の変調スキーム及び符号化スキーム（modulation and coding schemes）に基づいて処理して（例えば、フォーマットし、符号化し、インタリーブし、またシンボルマップして）、データシンボルを取得し得る。ＴＸデータプロセッサ２２０はまた、コントローラ／プロセッサ２４０からのシグナリングメッセージを受信及び処理し、シグナリングシンボルを供給し得る。ＴＸデータプロセッサ２２０はまた、パイロットシンボルを生成し、データ及びシグナリングシンボルと多重化し得る。ＴＸ  ＭＩＭＯプロセッサ２２２は、データ、シグナリング及び／又はパイロットシンボルにダイレクトＭＩＭＯマッピング、プレコーディング／ビームフォーミング等に基づいて空間的な処理（spatial processing）を行ない得る。シンボルは、ダイレクトＭＩＭＯマッピングのために１本のアンテナから、あるいはプレコーディング／ビームフォーミングのために複数本のアンテナから送信されてもよい。ＴＸ  ＭＩＭＯプロセッサ２２２は、Ｔ個の出力シンボルストリームをＴ個の変調器（ＭＯＤ）２２４ａ乃至２２４ｔに供給してもよい。各変調器２２４は、その出力シンボルストリームを（例えば、ＯＦＤＭ用に）処理して、出力チップストリームを取得し得る。各変調器２２４は更に、その出力チップストリームを調整して（例えば、アナログに変換し、フィルタリングし、増幅し、及びアップコンバートして）、ダウンリンク信号を取得し得る。変調器２２４ａ乃至２２４ｔのＴ個のダウンリンク信号は、それぞれＴ本のアンテナ２２６ａ乃至２２６ｔを介して送信されてもよい。
【００１８】
ＵＥ１２０では、アンテナ２５２ａ乃至２５２ｒはノードＢ１１０からダウンリンク信号を受信し、受信された信号をそれぞれ復調器（ＤＥＭＯＤ）２５４ａ乃至２５４ｒへ供給し得る。各復調器２５４は、その受信された信号を調整して（例えば、フィルタリングし、増幅し、ダウンコンバートし、及びデジタル化して）、サンプルを取得し、また、当該サンプルを（例えば、ＯＦＤＭ用に）更に処理して、受信されたシンボルを取得してもよい。ＭＩＭＯ検出器２６０は、Ｒ個の復調器２５４ａ乃至２５４ｒ全てからの受信されたシンボルにＭＩＭＯ検出を行ない、検出されたシンボルを供給し得る。受信（ＲＸ）データプロセッサ２６２は、検出されたシンボルを処理して（例えば、シンボルデマップし、デインタリーブし、及び復号して）、復号されたデータをデータシンク２６４へ、復号されたシグナリングメッセージをコントローラ／プロセッサ２８０へ供給し得る。
【００１９】
アップリンク上で、ＵＥ１２０では、データソース２７２からのトラヒックデータ及びコントローラ／プロセッサ２８０からのシグナリングメッセージが、ＴＸデータプロセッサ２７４によって処理され、ＴＸ  ＭＩＭＯプロセッサ２７６によって更に処理され、変調器２５４ａ乃至２５４ｒによって調整され、ノードＢ１１０に送信され得る。ノードＢ１１０では、ＵＥ１２０からのアップリンク信号はアンテナ２２６によって受信され、復調器２２４によって調整され、ＭＩＭＯ検出器２３０によって検出され、ＲＸデータプロセッサ２３２によって処理されて、ＵＥ１２０によって送信されたトラヒックデータ及びシグナリングメッセージを取得し得る。
【００２０】
コントローラ／プロセッサ２４０及び２８０は、それぞれノードＢ１１０及びＵＥ１２０における動作を指示し得る。メモリ２４２及び２８２は、それぞれノードＢ１１０及びＵＥ１２０のためのデータ及びプログラムコードを格納し得る。スケジューラ２４４は、ダウンリンク送信及び／又はアップリンク送信のためにＵＥをスケジュールしてもよく、また、スケジュールされたＵＥのためにリソースの割り当てを供給してもよい。
【００２１】
図３は、最初のアクセス手順３００の設計を示す。ＵＥがシステムにアクセスすることを望む場合、例えば、パワーアップ時、ＵＥが送信するべきデータを有する場合、ＵＥがシステムによってページングされる場合等は常に、ＵＥ１２０はランダムアクセスチャネル（ＲＡＣＨ）上でランダムアクセスプリアンブルを送信し得る。ランダムアクセスプリアンブルは、システムアクセスのために最初に送信されるメッセージであり、メッセージ１、アクセス署名（access signature）、アクセスプローブ、ランダムアクセスプローブ、署名シーケンス（signature sequence）、ＲＡＣＨ署名シーケンス（RACH signature sequence）等と称されてもよい。ランダムアクセスプリアンブルは、下記に記載されるように、種々のタイプの情報を含んでもよく、また、様々な方法で送信されてもよい。
【００２２】
ノードＢ１１０は、ＵＥ１２０からランダムアクセスプリアンブルを受信してもよく、また、ＵＥ１２０にランダムアクセス応答を送信することによって応答してもよい。ランダムアクセス応答はまた、メッセージ２、アクセス許可、アクセス応答等と称されてもよい。ランダムアクセス応答は、下記に記載されるように、種々のタイプの情報を伝えてもよく、また、様々な方法で送信されてもよい。ＵＥ１２０は、ランダムアクセス応答を受信してもよく、また、無線リソース制御（ＲＲＣ）接続要求のためにメッセージに３を送信してもよい。メッセージ３は、下記に記載されるように種々のタイプの情報を含み得る。ノードＢ１１０はＲＲＣ競合解決（contention resolution）用のメッセージ４で応答してもよい。ノードＢ１１０はまた、ＲＲＣ接続セットアップ用のメッセージ等を送信し得る。ＵＥ１２０及びノードＢ１１０は、その後データを交換してもよい。
【００２３】
図３は、システムアクセスのための一般的なメッセージフローを示す。一般に、各メッセージは種々のタイプの情報を伝えてもよく、また、様々な方法で送信されてもよい。
【００２４】
システムは、ダウンリンクのためのトランスポートチャネルの１つのセットと、アップリンクのためのトランスポートチャネルの別のセットをサポートし得る。これらのトランスポートチャネルは媒体アクセス制御（ＭＡＣ）及びより高い層への情報転送サービスを提供するために使用されてもよい。トランスポートチャネルは、無線リンクで何の特性情報と共に送信されるのか、またどのように送信されるのかによって記述されてもよい。トランスポートチャネルは物理的なチャネルへマッピングされ得るが、これは、変調及び符号化、データのリソースブロックへのマッピング等といった種々の属性によって定義され得る。トランスポートチャネルは、ＵＥへデータを送信するために用いられるダウンリンク共有チャンネル（ＤＬ−ＳＣＨ）、ＵＥによってデータを送信するために用いられるアップリンク共有チャンネル（ＵＬ−ＳＣＨ）、システムにアクセスするためにＵＥによって用いられる１つ又は複数のＲＡＣＨ等を備え得る。ＤＬ−ＳＣＨはまた、ダウンリンク共有データチャネル（ＤＬ−ＳＤＣＨ）と称されてもよく、また、物理的なダウンリンク共有チャネル（ＰＤＳＣＨ）へマッピングされてもよい。ＵＬ−ＳＣＨはまた、アップリンク共有データチャネル（ＵＬ−ＳＤＣＨ）と称されてもよく、また、物理的なアップリンク共有チャネル（ＰＵＳＣＨ）へマッピングされてもよい。ＲＡＣＨは物理的なランダムアクセスチャネル（ＰＲＡＣＨ）にマッピングされてもよい。
【００２５】
図３中のメッセージ１は、ランダムアクセスプリアンブルを伝えてもよく、また、Ｌビットの情報を含み得るが、ここでＬは任意の整数値であってよい。メッセージ１は、下記のうちの任意のものを含み得る：
・任意の識別子（ＩＤ）−ＵＥ１２０によって選択された偽似乱数値、
・アクセス・タイプ−最初のシステムアクセスあるいはハンドオーバを示す、
・チャネル品質指標（ＣＱＩ）−より効率的にメッセージ２を送信すべく用いられる、
・電力ヘッドルーム情報−メッセージ３の送信を制御するために用いられる、
・バッファサイズ情報−メッセージ３の送信を制御するために用いられる、及び、
・他の情報。
【００２６】
任意のＩＤは、システムアクセス期間中にＵＥ１２０を識別するために用いられてもよいが、複数のＵＥが同じ任意のＩＤを選択し得るので、一意ではないことがある。任意のＩＤの衝突の場合、競合は競合解決手順を用いて解決されてもよい。
【００２７】
ＣＱＩは、ＵＥ１２０によって測定されるようなダウンリンクチャネル品質を示してもよく、また、ＵＥにアップリンクリソースを割り当てるために、及び／又は、次のダウンリンク送信を送るために用いられてもよい。ＣＱＩは、１ビット、２ビット、あるいは何らかの他の数のビットで伝えられてもよい。一般に、メッセージ１でＣＱＩを送信することの利点は、メッセージ２がより大きい場合に、より大きくなり得る。メッセージ１にＣＱＩを包含することはまた、それらのＣＱＩに基づいて異なるＵＥからのランダムアクセスプリアンブルのグループ化を可能にし、それ故にこれらのＵＥに送信されたメッセージ２のより良い電力制御を可能にし得る。メッセージ２が比較的小さく、且つメッセージ４が大きい場合、ＣＱＩはメッセージ１の代わりにメッセージ３で送信されてもよい。
【００２８】
電力ヘッドルーム情報はメッセージ１に含まれてもよく、また、ＵＥ１２０で利用可能な送信電力を伝えてもよい。一つの設計において、電力ヘッドルーム情報は、ＵＥ１２０における最大の送信電力と、メッセージ１のためにＵＥによって用いられた送信電力との差異が、閾値（例えば、５ｄＢあるいは何らかの他の値）を超えるかどうかを示す単独のビットを含む。別の設計においては、電力ヘッドルーム情報は、複数のビットを含み、また、ＵＥ１２０における最大の送信電力と、メッセージ１のために用いられた送信電力との間の差異を示す。
【００２９】
メッセージ１の受信電力に加えた電力ヘッドルーム情報は、経路損失だけよりも情報が多いことがある。一例として、２つのＵＥは所与のノードＢについて同じ経路損失を測定してもよく、また、それらのメッセージ１を同じ送信電力で送ってもよい。しかしながら、２４ｄＢｍの最大送信電力を有するＵＥは、２１ｄＢｍの最大送信電力を有するＵＥよりも多くの電力ヘッドルームを有するだろう。それ故に、ＵＥ１２０は、電力ヘッドルーム情報をメッセージ１でノードＢ１１０に送信してもよく、また、ノードＢ１１０は、この情報を使用して、例えばメッセージ３にアップリンクリソースを割り当てるために、ＵＥ１２０によるメッセージ３の送信を制御してもよい。
【００３０】
バッファサイズ情報は、メッセージ１に含まれてもよく、また、ＵＥ１２０によってメッセージ３で送るためのデータの量を示してもよい。メッセージ３は、ＲＲＣメッセージ、無線環境報告（radio environment report）等といった種々のタイプの情報を伝えてもよく、また、可変のサイズを有してもよい。一つの設計において、バッファサイズ情報と電力ヘッドルーム情報は、各タイプの情報に充分な数のビットを用いて別個に送られてもよい。別の設計において、バッファサイズ情報と電力ヘッドルーム情報とは結合されてもよい。例えば、ＵＥ１２０が充分な送信電力及び充分な量のデータを有する場合、より大きなメッセージ３が選択されてもよく、さもなければ、より小さなメッセージ３が選択されてもよい。両方の設計において、ｌｏｇ２（Ｎ）ビットを用いて、メッセージ３のためのＮ個の異なるサイズをサポートし得る。いずれにせよ、バッファサイズ情報及び／又は電力ヘッドルーム情報は、ノードＢ１１０がメッセージ３のために適当なアップリンクリソースを割り当てることを可能にし得る。
【００３１】
アクセス・シーケンスは、２Ｌ個の利用可能なアクセス・シーケンスのプールから選択され、メッセージ１のランダムアクセスプリアンブルのために送信されてもよい。一つの設計においては、Ｌ＝６であり、アクセス・シーケンスは、６４個のアクセス・シーケンスのプールから選択され、６ビットのランダムアクセスプリアンブルのために送られてもよい。選択されたアクセス・シーケンスのＬビットのインデックスは、ＲＡプリアンブル識別子（RA-preamble identifier）と称され得る。
【００３２】
一つの設計において、これはアクセス手順オプション１と称されるが、以下の特徴のうちの１つ又は複数がサポートされてもよい：
・メッセージ２はＬ１／Ｌ２制御とＤＬ−ＳＣＨとの両方で送られる、
・セルの無線ネットワークの一時的な識別子（Ｃ−ＲＮＴＩ）（Cell Radio Network Temporary Identifier）はメッセージ２でＵＥ１２０に割り当てられる、
・ＵＥ１２０は、Ｃ−ＲＮＴＩが割り当てられる前に、ランダムアクセスＲＮＴＩ（ＲＡ−ＲＮＴＩ）に基づいて識別される、
・メッセージ３は動的なサイズを有する、及び
・メッセージ４（競合解決）とＲＲＣ接続セットアップとは併合されてもよい。
【００３３】
ノードＢ１１０は、大きなメッセージ２を有するＵＥ１２０からのランダムアクセスプリアンブルに応答することができるので、オプション１は、より多くの柔軟性を提供し得るが、メッセージ２はＬ１／Ｌ２制御とＤＬ−ＳＣＨとの両方で送られてもよい。Ｌ１／Ｌ２制御は、シグナリング／制御情報を送信するためにレイヤ１／レイヤ２によって用いられるメカニズムを指す。Ｌ１／Ｌ２制御は、物理的なダウンリンク制御チャネル（ＰＤＣＣＨ）（Physical Downlink Control Channel）、共有ダウンリンク制御チャネル（ＳＤＣＣＨ）（Shared Downlink Control Channel）等を用いて実施されてもよい。
【００３４】
Ｃ−ＲＮＴＩは、ノードＢ１１０によってＵＥ１２０を一意に識別するために用いられてもよく、また、アクセス手順（例えば、メッセージ２若しくはメッセージ４）の期間に、又は別の時にＵＥに割り当てられてもよい。Ｃ−ＲＮＴＩはまた、ＭＡＣ  ＩＤ等と称され得る。Ｃ−ＲＮＴＩが割り当てられるまで、ＵＥ１２０は一時的なＩＤによって識別されてもよい。複数のＲＡＣＨが利用可能であってもよく、また、ＵＥ１２０は利用可能なＲＡＣＨのうちの１つを任意に選択してもよい。各ＲＡＣＨは、異なるＲＡ−ＲＮＴＩに関連付けられてもよい。システムアクセスの期間に、ＵＥ１２０は、選択されたＲＡＣＨのＲＡ−ＲＮＴＩ及びＵＥによって送られたアクセス・シーケンスのためのＲＡプリアンブル識別子の組み合わせによって識別されてもよい。
【００３５】
ノードＢ１１０は、ＵＥ１２０からのメッセージ１にメッセージ２で応答し得るが、これは種々のタイプの情報を伝えることができる大きなメッセージであり得る。ノードＢ１１０は、メッセージ２でＵＥ１２０に以下の情報を伝えてもよい：
・タイミングアドバンス（Timing advance）（〜８ビット）−ＵＥ１２０のタイミングを調節するために用いられる、
・ＲＡ−ＲＮＴＩ（〜１６ビット）−ノードＢ１１０によって応答されているＲＡＣＨを識別する、
・ＲＡプリアンブル識別子（６ビット）−ノードＢ１１０によって応答されているランダムアクセスプリアンブルを識別する、及び
・アップリンクリソース（〜２４ビット）−ＵＥ１２０に割り当てられたアップリンクリソースを識別する。
【００３６】
また、メッセージ２は、下記のうちの任意のものを備えてもよい：
・Ｃ−ＲＮＴＩ（１６ビット）−ＵＥ１２０に割り当てられたＣ−ＲＮＴＩ、
・ＭＡＣヘッダ（〜８ビット）、
・メッセージ・タイプ（〜８ビット）、
・メッセージ３の電力制御情報／電力調節（〜４−６ビット）、及び
・ＣＱＩリソース等といった他の情報。
【００３７】
Ｃ−ＲＮＴＩは、メッセージ２でＵＥ１２０に割り当てられ得る。複数のＵＥは、同じＲＡＣＨ上で同じランダムアクセスプリアンブルを送ることがあり、また、このようにして衝突することがある。衝突の場合には、これらのＵＥに同じＣ−ＲＮＴＩが割り当てられてもよい。しかしながら、競合を成功裡に解決するＵＥだけが、割り当てられたＣ−ＲＮＴＩを保持する一方で、他のＵＥはシステムに再びアクセスし、これらがアクセス手順を繰り返すときに新たなＣ−ＲＮＴＩを取得するだろう。Ｃ−ＲＮＴＩは、メッセージ４でＵＥ１２０に割り当てられてもよい。
【００３８】
Ｃ−ＲＮＴＩがＵＥ１２０に割り当てられる前には、ＲＡ−ＲＮＴＩが一時的なＵＥ  ＩＤとして使用され得る。ＲＡ−ＲＮＴＩはＲＡＣＨを識別し、ランダムアクセスプリアンブルを識別しなくてもよい。メッセージ２は、特定のＲＡ−ＲＮＴＩに宛てられ（addressed）てもよく、また従って事実上（in nature）ブロードキャストされてもよい。また、ＲＡ−ＲＮＴＩの使用は、Ｌ１／Ｌ２制御のキャパシティ（capacity）だけでは小さすぎることがあるので、Ｌ１／Ｌ２制御とＤＬ−ＳＣＨとの両方でメッセージ２が送信されることを示唆し得る。Ｌ１／Ｌ２制御とＤＬ−ＳＣＨとの両方がメッセージ２を送るために用いられる場合、ＲＡ−ＲＮＴＩを用いる利益は、単独のＬ１／Ｌ２制御チャネルを用いて、それらのランダムアクセスプリアンブルがノードＢ１１０によって関連付けられたＲＡＣＨ上で成功裡に受信された複数のＵＥを処理し（address）得るということである。しかしながら、システム設計は、ＲＡＣＨ上の衝突が比較的まれであることを保証するべきであるという事実を考慮すれば、これらの利得は、ノードＢ１１０において同じＲＡＣＨ上で複数のランダムアクセスプリアンブルを受信する低い可能性に照らして評価されるべきである。
【００３９】
メッセージ２へのＲＡ−ＲＮＴＩの使用と関連するメッセージ２でのＣ−ＲＮＴＩの割り当ては、メッセージ４のためにハイブリッド自動再送要求（ＨＡＲＱ）（Hybrid Automatic Repeat Request）の使用を可能にし得る。ＨＡＲＱは、通常、単独のＵＥへのユニキャスト送信に用いられる。ＨＡＲＱはまた、Ｃ−ＲＮＴＩ（これは特定のＵＥを識別する）の代わりにＲＡ−ＲＮＴＩ（これはＲＡＣＨを識別する）と共に使用され得る。この場合、ＲＡ−ＲＮＴＩは、メッセージ４のＨＡＲＱ送信のための単独のＵＥを、このＵＥに識別させるために用いられる。
【００４０】
別の設計において、これはアクセス手順オプション２と称されるが、以下の特徴のうちの１つ又は複数がサポートされてもよい：
・メッセージ２はＬ１／Ｌ２制御で送信される、
・Ｃ−ＲＮＴＩはメッセージ４で、又はその後にＵＥ１２０に割り当てられる、
・Ｃ−ＲＮＴＩが割り当てられる前に、ＵＥ１２０は暗黙のＲＮＴＩ（Ｉ−ＲＮＴＩ）（Implicit RNTI）によって識別される、
・メッセージ３は、静的な（static）サイズ又は動的なサイズを有してもよい、及び
・メッセージ４（競合解決）とＲＲＣ接続セットアップとは併合されてもよい。
【００４１】
オプション２は、スペクトル的に効率的であってもよく、また、Ｌ１／Ｌ２制御メッセージを用いて送られたスペクトル的に効率的なメッセージ２を備えたＵＥ１２０からのランダムアクセスプリアンブルに対してノードＢ１１０が応答することを可能にし得る。Ｌ１／Ｌ２制御メッセージは比較的小さくてもよいので、タイミングアドバンス及び／又は他の情報のための余地を作るべく、アップリンクリソース許可は制限されてもよい。Ｃ−ＲＮＴＩがＵＥに割り当てられる前に、ＵＥ１２０はＩ−ＲＮＴＩによって識別され得る。Ｉ−ＲＮＴＩは、（１）ＵＥ１２０によるシステムアクセスの時のシステム時間及びＲＡプリアンブル識別子、（２）選択されたＲＡＣＨ及びＲＡプリアンブル識別子、又は（３）選択されたＲＡＣＨ、ＲＡプリアンブル識別子、システム時間等の組み合わせに基づいて形成され得る。Ｉ−ＣＲＮＴＩは、Ｃ−ＲＮＴＩのためのスペース全体の一部（例えば、数パーセント）を占め得る。
【００４２】
ノードＢ１１０は、メッセージ２でＵＥ１２０に以下の情報を伝えてもよい：
・タイミングアドバンス（〜８ビット）、
・ＲＡプリアンブル識別子（０ビット）−ＵＥ１２０のためのＩ−ＣＲＮＴＩの一部、及び
・アップリンクリソースの位置（〜５ビット）−メッセージ３の静的なサイズに充分。
【００４３】
Ｉ−ＣＲＮＴＩは、メッセージ２のために生成された巡回冗長検査（ＣＲＣ）で排他的論理和演算され（ＸＯＲｅｄ）てもよいし、あるいは他の方法で伝えられてもよい。メッセージ３は、静的なサイズを有してもよく、また、固定されたトランスポート・ブロック・サイズ、固定された変調及び符号化スキーム（modulation and coding scheme）（ＭＣＳ）等に関連付けられてもよい。この場合、ノードＢ１１０は、ＵＥ１２０によって使用され得るアップリンクリソースの位置を単に伝えて、メッセージ３を送信してもよい。
【００４４】
また、メッセージ２は、下記のうちの任意のものも備え得る：
・アップリンクリソースのサイズ（〜２−３ビット）−メッセージ３の動的なサイズを可能にする（allow for）、
・メッセージ３の電力制御情報／電力調節（〜４−６ビット）、
・メッセージ４のタイマ値（３ビット）、及び
・他の情報。
【００４５】
制限された値のセットは、アップリンクリソースサイズに利用可能であり得る。ＵＥ１２０に割り当てられたアップリンクリソースは次いで、より少数のビットで伝えられ得る。
【００４６】
メッセージ２は、Ｌ１／Ｌ２制御メッセージだけを用いて送られてもよいが、これは合計４０ビットを有し得る。合計４０のビットのうち、１６ビットはＣＲＣに用いられてもよく、また、２４ビットはメッセージ３のタイミングアドバンス、アップリンクリソース許可、及び他の情報（例えば、電力調整）を伝えるのに利用可能であってもよい。Ｌ１／Ｌ２制御メッセージはまた、メッセージ４のタイマ値を伝え得るが、これを用いてＵＥ１２０がノードＢ１１０からのメッセージ４をどのくらいの時間待機するべきかを判定してもよい。ダウンリンク肯定応答チャンネル（ＡＣＫＣＨ）の位置は暗黙（implicit）であってもよく、割り当てられたアップリンクリソースの位置に基づいてもよい。メッセージ２の限定されたサイズが理由で、Ｃ−ＲＮＴＩはメッセージ４で又はその後にＵＥ１２０に割り当てられてもよい。Ｃ−ＲＮＴＩがＵＥ１２０に割り当てられる前に、Ｉ−ＣＲＮＴＩは一時的なＵＥ  ＩＤとして使用されてもよい。
【００４７】
アクセス手順オプション１と２との両方について、メッセージ２は、ＵＥ１２０のためのリソース許可を含んでもよい。一般に、リソース許可は、割り当てられたダウンリンクリソース及び／又はアップリンクリソースを、明示的に及び／又は暗黙に伝えられ得る。例えば、ＡＣＫ、ＣＱＩ等のために例えば、割り当てられたダウンリンク送信リソースと、例えば、ＡＣＫ、ＣＱＩ等といった、対応するアップリンク・シグナリング・リソースとの間にマッピングがあってもよい。同様に、割り当てられたアップリンク送信リソースと、対応するダウンリンク・シグナリング・リソースとの間にマッピングがあってもよい。割り当てられたシグナリング・リソースは、割り当てられた送信リソースと対応するシグナリング・リソースとのマッピングから推論され得るので、マッピングはシグナリング・リソースを明示的に伝える必要を回避し得る。
【００４８】
メッセージ３は、下記のうちの任意のものを備えていてもよい：
・ＣＱＩ−より効率的にメッセージ４を送信するために使用される、
・電力ヘッドルーム情報−メッセージ４の送信を制御するために使用される、
・バッファサイズ情報−メッセージ４の送信を制御するために使用される、
・無線環境報告書−異なるセル及び／又は周波数のための測定値（measurements）、
・ノンアクセス・ストラタム（ＮＡＳ）（Non-Access Stratum）メッセージ、及び
・他の情報。
【００４９】
ＣＱＩ、電力ヘッドルーム情報、及びバッファサイズ情報は各々、メッセージ１のみで、メッセージ３のみで、又はメッセージ１とメッセージ３との両方で送られてもよい。各タイプの情報を送るためにどの特定のメッセージを用いるかは、情報を送信するために用いられるメッセージのサイズ、次のメッセージのための情報の有用性等に基づいて、判定され得る。例えば、ＣＱＩは、メッセージ２が比較的大きい場合（例えば、オプション１の場合）はメッセージ１で、あるいはメッセージ１及び２が比較的小さい場合（例えば、オプション２の場合）はメッセージ３で、送信されてもよい。メッセージ３が大きい場合及び／又はメッセージ３が動的なサイズを有する場合、電力ヘッドルーム及びバッファサイズ情報は有益であってもよく、また、メッセージ１で送信され、メッセージ３のアップリンクリソースを割り当てるために用いられてもよい。電力ヘッドルーム及び／又はバッファサイズ情報はまた、メッセージ３で送られ、次のアップリンク・メッセージの送信を制御するために用いられ得る。ＣＱＩ、電力ヘッドルーム情報、及び／又はバッファサイズ情報はまた、他の方法で送信され得る。
【００５０】
無線環境報告書は、メッセージ３で送信されてもよく、また、異なるセル及び／又は異なる周波数についてＵＥ１２０によってなされたパイロット測定を含んでいてもよい。無線環境報告書はまた、例えば、ＧＳＭ、Ｗ−ＣＤＭＡ、ｃｄｍａ２０００、及び／又は他のシステムといった、他のシステムにおけるセル及び／又は周波数についてのパイロット測定を含み得る。ノードＢ１１０は、無線環境報告書を使用して、ＵＥ１２０を適当なセル及び／又は適当な周波数へ導き（direct）得る。無線環境報告書は測定報告書等と称されてもよい。
【００５１】
アクセス手順を迅速化するために、メッセージ３がＮＡＳメッセージに適応することが望ましいことがあり得る。ＮＡＳメッセージは、ＵＥ１２０とノードＢ１１０との間の無線リンクを構成する（configure）ために使用されてもよく、また、メッセージ３（これはアクセス手順を迅速化し得る）及び／又は後のメッセージの中で送信されてもよい。
【００５２】
メッセージ３によって他のＵＥにもたらされる干渉の量を低減するために、電力制御がメッセージ３のために使用され得る。メッセージ３が大きい場合及び／又はメッセージ３がノードＢ１１０で不十分な（poor）タイミング整列（timing alignment）で送信される場合、電力制御の利点は、より大きくなり得る。不十分なタイミング整列は、メッセージ２で送信された不正確なタイミングアドバンスに起因し得るが、これは今度はＲＡＣＨ上の衝突、ＵＥ１２０によって送られたアクセス・シーケンスの（例えば、高速に起因する）不適当な検出、あるいは何らかの他の理由に起因し得る。他のＵＥへの干渉を低減するために、メッセージ３は、メッセージ２で送られた電力調整に基づいて判定された送信電力を用いて送られてもよい。
【００５３】
電力調整は、電力制御情報と称されてもよく、また、種々のフォーマットで与えられてもよい。一つの設計において、電力調整は送信電力における増加又は減少の量を示してもよく、また、例えば４ビットといった適当な数のビットで与えられてもよい。別の設計において、電力調整は、送信電力が所定の量だけ増加されるべきか、あるいは低減されるべきかを単に示してもよい。電力調整は他のフォーマットで与えられてもよい。
【００５４】
競合解決用のメッセージ４とＲＲＣ接続セットアップとは併合され得る。ＵＥ１２０は、それがシステムに成功裡にアクセスしたことを示す自身の一意のＩＤと共にメッセージ４を受信しない場合、アクセス手順を繰り返してもよい。メッセージ４が成功した競合解決を備えていなかった場合、ＵＥ１２０がタイマの終了時にアクセス手順を再開することができるように、ＵＥ１２０が適切なタイマ値を用いることを保証することが望ましいことがあり得る。メッセージ４とＲＲＣ接続セットアップとの併合は、タイマ値に影響を与え得る。一つの設計においては、デフォルト値がタイマに使用されてもよく、また、ブロードキャストチャネル（ＢＣＨ）上でブロードキャストされる値、又はメッセージ２で指定される値で上書きされてもよい。
【００５５】
図４は、ソース／古いノードＢから目標の／新たなノードＢへのＵＥ１２０のフォワードハンドオーバのアクセス手順４００の設計を示す。ハンドオーバが生じる場合、ＵＥ１２０は、ＲＲＣ＿ＣＯＮＮＥＣＴＥＤ状態で動作し得る。ＵＥ１２０は、選択されたＲＡＣＨ上でメッセージ１のためのアクセス・シーケンスを送ることによって（例えば、サービス中のセルとの無線リンクの失敗又は劣化に起因して）、システムにアクセスし得る。アクセス・シーケンスはハンドオーバのために取っておかれたアクセス・シーケンスのプールから選ばれ得る。目標ノードＢはＵＥ１２０からメッセージ１を受信してもよく、また、ＵＥ１２０のためのアップリンクリソース許可を備えたメッセージ２を送ることによって応答してもよい。アップリンクリソース許可は、ＵＥ１２０に割り当てられたアップリンクリソースを伝え得る。図４のフォワードハンドオーバ用のメッセージ２のフォーマットは、図３の最初のシステムアクセス用のメッセージ２のフォーマットと一致してもよいし、一致しなくてもよい。
【００５６】
ＵＥ１２０は、次いでメッセージ３を送り得るが、これは可能な衝突を解決するために、ＵＥを識別するために、及び目標ノードＢが古いノードＢにアクセスすることを可能にするために、古いＣ−ＲＮＴＩ及び古いノードＢのＩＤを含み得る。メッセージ３は、目標ノードＢがメッセージ４の送信電力を制御することを支援するために、ＣＱＩを備え得る。メッセージ３はまた、無線環境報告書を含み得るが、これは異なるセル、異なる周波数、及び／又は異なるシステムのためのパイロット測定を含み得る。目標ノードＢは、無線環境報告書を使用して、ＵＥ１２０に適当なセル及び／又は適当な周波数を選択してもよい。目標ノードＢは、一意の「ハンドル」あるいはＵＥ  ＩＤへのポインタを受信してもよく、また、起こり得る競合を解決することができてもよい。目標ノードＢは次いで、ＲＲＣ競合解決のためにメッセージに４を送り得る。ＵＥ１２０はメッセージ４及び考え得るデータ（もしあれば）のためにレイヤ２のＡＣＫを送ってもよい。ＵＥ１２０は、その後、目標ノードＢとデータを交換し得る。
【００５７】
図５は、ソースノードＢから目標ノードＢ（target Node B）へのＵＥ１２０ＵＥ１２０の基礎的なハンドオーバアクセス手順５００の設計を示す。ＵＥ１２０は、ハンドオーバが生じる場合、ＲＲＣ＿ＣＯＮＮＥＣＴＥＤ状態で動作し得る。アクセス手順５００に先立って、サービング・ノードＢは、ＵＥ１２０のハンドオーバ要求を目標ノードＢに送信してもよいが、これはハンドオーバ要求を受け入れることもあれば、あるいは否定することもある。ハンドオーバ要求が受け入れられる場合、目標ノードＢはアクセス・シーケンス、Ｃ−ＲＮＴＩ、ＣＱＩリソース、及び電力制御リソースをＵＥ１２０に割り当ててもよく、また、この情報をソースノードＢへ供給してもよい。ソースノードＢは情報をＵＥ１２０へ転送してもよいが、これはその結果、目標ノードＢからの割り当てられたＣ−ＲＮＴＩ、ＣＱＩリソース、及び電力制御リソースを有するだろう。
【００５８】
アクセス手順５００の場合、ＵＥ１２０は割り当てられたアクセス・シーケンスを目標ノードＢに送ってもよい。全ての利用可能なアクセス・シーケンスのサブセットはハンドオーバのために予約されていてもよく、また、ＵＥ１２０に割り当てられるアクセス・シーケンスは、この予約された（reserved）アクセス・シーケンスのサブセットから選択されてもよい。衝突解決は、ＵＥ１２０に割り当てられたＣ−ＲＮＴＩとアクセス・シーケンスとの間の１対１のマッピングに起因して必要ではないことがある。アクセス手順５００は、このように図４のアクセス手順４００におけるメッセージ１、２及び５を備えていてもよく、また、メッセージ３及び４は省略されてもよい。
【００５９】
図４のフォワードハンドオーバ及び図３の最初のシステムアクセスのためのアクセス・シーケンス・スペース（access sequence space）は、ＢＣＨ上でブロードキャストされ得る。このブロードキャスト・アクセス・シーケンス・スペースは、図５の基礎的なハンドオーバのために予約されたアクセス・シーケンス・スペースを除外してもよい。アクセス手順４００は、基礎的なハンドオーバにも使用され得る。
【００６０】
図６は、システムアクセスのためにＵＥによって行なわれる処理６００の設計を示す。電力ヘッドルーム情報を含む第１のメッセージは、システムアクセスのためにＵＥによって送信され得る（ブロック６１２）。電力ヘッドルーム情報は、ＵＥにおける最大の送信電力と、第１のメッセージに用いられる送信電力との間の差異を示し得る。電力ヘッドルーム情報はまた、この差異が閾値を越えるかどうかを示してもよい。電力ヘッドルーム情報に基づいて判定される少なくとも１つのパラメータを含む第２のメッセージが受信され得る（ブロック６１４）。第１のメッセージはバッファサイズ情報を更に含んでもよく、また、少なくとも１つのパラメータはバッファサイズ情報に更に基づいて判定されてもよい。例えば、第３のメッセージのためのメッセージサイズは、結合された電力ヘッドルーム情報及びバッファサイズ情報に基づいて選択されてもよく、また、選択されたメッセージサイズは第１のメッセージ中で送信されてもよい。
【００６１】
第３のメッセージは少なくとも１つのパラメータに基づいて送信され得る（ブロック６１６）。パラメータはリソース許可を含んでもよく、また、第３のメッセージはリソース許可によって示されるアップリンクリソースを用いて送信されてもよい。パラメータは電力制御情報を含んでもよく、また、第３のメッセージは電力制御情報に基づいて判定された送信電力を用いて送信されてもよい。
【００６２】
第１のメッセージはランダムアクセスプリアンブルを含んでもよく、また、システムアクセスのためにＵＥによって最初に送信されてもよい。あるいは、ＵＥはシステムアクセスのためにランダムアクセスプリアンブルを送信し、ランダムアクセス応答を受信し、ランダムアクセス応答の受信に応答して第１のメッセージを送信してもよい。
【００６３】
図７は、システムアクセスを行なう装置７００の設計を示す。装置７００は、ＵＥによるシステムアクセスのための電力ヘッドルーム情報を含む第１のメッセージを送信する手段（モジュール７１２）と、電力ヘッドルーム情報に基づいて判定された少なくとも１つのパラメータを含む第２のメッセージを受信する手段（モジュール７１４）と、少なくとも１つのパラメータに基づいた第３のメッセージを送信する手段（モジュール７１６）とを備える。
【００６４】
図８は、システムアクセスをサポートするためにノードＢによって行なわれる処理８００の設計を示す。システムアクセスのためにＵＥによって送信された電力ヘッドルーム情報を含む第１のメッセージが受信され得る（ブロック８１２）。少なくとも１つのパラメータは電力ヘッドルーム情報に基づいて判定され得る（ブロック８１４）。第１のメッセージはバッファサイズ情報を更に含んでもよく、また、パラメータはバッファサイズ情報に更に基づいて判定されてもよい。パラメータはアップリンクリソース許可、電力制御情報等を含み得る。少なくとも１つのパラメータを含む第２のメッセージは、ＵＥに送信され得る（ブロック８１６）。少なくとも１つのパラメータに基づいてＵＥによって送信された第３のメッセージが受信され得る（ブロック８１８）。
【００６５】
図９は、システムアクセスをサポートする装置９００の設計を示す。装置９００は、システムアクセスのためにＵＥによって送信される電力ヘッドルーム情報を含む第１のメッセージを受信する手段（モジュール９１２）と、電力ヘッドルーム情報に基づいて少なくとも１つのパラメータを判定する手段（モジュール９１４）と、少なくとも１つのパラメータを含む第２のメッセージをＵＥに送信する手段（モジュール９１６）と、少なくとも１つのパラメータに基づいてＵＥによって送信される第３のメッセージを受信する手段（モジュール９１８）とを備える。
【００６６】
図１０は、システムアクセスのためにＵＥによって行なわれる処理１０００の設計を示す。ランダムアクセス手順は、システムアクセスのために、例えば、あるノードＢから別のノードＢへのハンドオーバのために、ＵＥによって行なわれてもよい（ブロック１０１２）。ランダムアクセス手順の場合、ランダムアクセスプリアンブルがＵＥによって最初に送信され得る（ブロック１０１４）。ランダムアクセス応答は、ランダムアクセスプリアンブルについて受信され得る（ブロック１０１６）。無線環境報告書を含むメッセージは、ランダムアクセス手順の期間に、例えば、ランダムアクセス応答を受信した後に、送信され得る（ブロック１０１８）。無線環境報告書は、複数のセル、複数の周波数、及び／又は複数のシステムについてのパイロット測定値（pilot measurements）を含んでもよい。無線環境報告書はＵＥのためのセル及び／又は周波数を選択するために使用されてもよい。
【００６７】
図１１は、システムアクセスを行なう装置１１００の設計を示す。装置１１００は、ＵＥによるシステムアクセスのためのランダムアクセス手順を行なう手段（モジュール１１１２）と、ランダムアクセスプリアンブルを送信する手段（モジュール１１１４）と、ランダムアクセス応答を受信する手段（モジュール１１１６）と、ランダムアクセス手順の期間に無線環境報告書を含むメッセージを送信する手段（モジュール１１１８）とを備える。
【００６８】
図１２は、システムアクセスをサポートするためにノードＢによって行なわれる処理１２００の設計を示す。システムアクセスのためにＵＥによって送信されたランダムアクセスプリアンブルが受信され得る（ブロック１２１２）。ランダムアクセス応答はＵＥに送信され得る（ブロック１２１４）。無線環境報告書を含むメッセージは、ＵＥから受信され得る（ブロック１２１６）。無線環境報告書に基づいてＵＥのためのセル及び／又は周波数が判定され得る（ブロック１２１８）。ＵＥは選択されたセル及び／又は周波数に割り当てられ（directed）てもよい（ブロック１２２０）。
【００６９】
図１３は、ノードＢによるシステムアクセスをサポートする装置１３００の設計を示す。装置１３００は、システムアクセスのためにＵＥによって送信されたランダムアクセスプリアンブルを受信する手段（モジュール１３１２）と、ランダムアクセス応答を送信する手段（モジュール１３１４）と、ＵＥからの無線環境報告書を含むメッセージを受信する手段（モジュール１３１６）と、無線環境報告書に基づいてＵＥのための周波数及び／又はセルを判定する手段（モジュール１３１８）と、選択されたセル及び／又は周波数へＵＥを割り当てる手段（モジュール１３２０）とを備える。
【００７０】
図１４は、システムアクセスのためにＵＥによって行なわれる処理１４００の設計を示す。第１のメッセージはシステムアクセスのためにＵＥによって送信され得る（ブロック１４１２）。電力制御情報を含む第２のメッセージは、ＵＥによって受信され得る（ブロック１４１４）。電力制御情報は、第１のメッセージの受信された信号品質、第１のメッセージ中で送信された電力ヘッドルーム情報等に基づいて判定されてもよい。電力制御情報は、送信電力における増加若しくは減少の量、送信電力を所定の量だけ増加させるか若しくは減少させるか等を示し得る。第３のメッセージは、第１のメッセージに用いられた送信電力と電力制御情報とに基づいて判定された送信電力でＵＥによって送られ得る（ブロック１４１６）。
【００７１】
図１５は、システムアクセスを行なう装置１５００の設計を示す。装置１５００は、ＵＥによるシステムアクセスのために第１のメッセージを送信する手段（モジュール１５１２）と、電力制御情報を含む第２のメッセージを受信する手段（モジュール１５１４）と、第１のメッセージに用いられた送信電力と電力制御情報とに基づいて判定された送信電力で第３のメッセージを送信する手段（モジュール１５１６）とを備える。
【００７２】
図１６は、システムアクセスをサポートするためにノードＢによって行なわれる処理１６００の設計を示す。システムアクセスのためにＵＥによって送信される第１のメッセージが受信され得る（ブロック１６１２）。電力制御情報は、第１のメッセージに基づいて、例えば、第１のメッセージの受信された信号品質、第１のメッセージ中で送信された電力ヘッドルーム情報等に基づいて、判定され得る（ブロック１６１４）。電力制御情報を含む第２のメッセージは、ＵＥに送信され得る（ブロック１６１６）。電力制御情報に基づいて判定された送信電力を用いてＵＥによって送信された第３のメッセージが受信され得る（ブロック１６１８）。
【００７３】
図１７は、ノードＢによってシステムアクセスをサポートする装置１７００の設計を示す。装置１７００は、システムアクセスのためにＵＥによって送信された第１のメッセージを受信する手段（モジュール１７１２）と、第１のメッセージに基づいて電力制御情報を判定する手段（モジュール１７１４）と、電力制御情報を含む第２のメッセージを送信する手段（モジュール１７１６）と、電力制御情報に基づいて判定された送信電力を用いてＵＥによって送信された第３のメッセージを受信する手段（モジュール１７１８）とを備える。
【００７４】
図７、図９、図１１、図１３、図１５及び図１７のモジュールは、プロセッサ、電子デバイス、ハードウェア装置、電子部品、論理回路、メモリ等、又はこれらの任意の組合せを備えてもよい。
【００７５】
当業者は、情報及び信号が様々な異なる技術及び技法のうちの任意のものを用いて表され得ることを理解するだろう。例えば、上記の記載の全体にわたって参照され得るデータ、命令、コマンド、情報、信号、ビット、シンボル、及びチップは、電圧、電流、電磁波、磁界若しくは磁性粒子、光学場若しくは光学粒子、又はこれらの任意の組合せによって表わされてもよい。
【００７６】
当業者は更に、本明細書の開示に関連して記載される種々の例証となる論理ブロック、モジュール、回路、及びアルゴリズムのステップが、電子ハードウェア、コンピュータソフトウェア、又は両者の組み合わせで実施され得ることを認識するだろう。ハードウェアとソフトウェアのこの互換性を明白に例証するために、種々の例証となるコンポーネント、ブロック、モジュール、回路、及びステップは、一般にそれらの機能性の観点から上記に記載されている。そのような機能性がハードウェアとして実施されるかソフトウェアとして実施されるかは、システム全体に課される設計制約及び特定の適用例に依存する。熟練した職人は、記載された機能性を特定の適用ごとに様々な方法で実施し得るが、そのような実施上の決定は、本開示の範囲からの逸脱を引き起こすものとして解釈されるべきではない。
【００７７】
本明細書の開示に関して記載された、種々の実例となる論理的なブロック、モジュール、及び回路は、汎用プロセッサ、デジタル信号プロセッサ（ＤＳＰ）、特定用途向け集積回路（ＡＳＩＣ）、フィールドプログラマブルゲートアレイ（ＦＰＧＡ）若しくは他のプログラム可能な論理デバイス、ディスクリートゲート若しくはトランジスタロジック、ディスクリートハードウェアコンポーネント、又は本明細書に記載される機能を行なうように設計されたこれらの任意の組み合わせで実施されてもよいし、行なわれてもよい。汎用プロセッサはマイクロプロセッサであってもよいが、代案では、プロセッサは任意の従来のプロセッサ、コントローラ、マイクロコントローラ、若しくは状態機械であってもよい。プロセッサはまた、例えば、ＤＳＰとマイクロプロセッサとの組み合わせ、複数のマイクロプロセッサ、ＤＳＰコアと協働する１つ又は複数のマイクロプロセッサ、又は任意の他のそのような構成といった、コンピューティングデバイスの組み合わせとして実施されてもよい。
【００７８】
本明細書の開示に関連して記載されたアルゴリズム又は方法のステップは、直接ハードウェアで、プロセッサによって実行されるソフトウェアモジュールで、又はこの２つの組合せで具現化され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、又は、当技術分野で公知の任意の他の形式の記憶媒体に存在してもよい。例示の記憶媒体は、プロセッサが記憶媒体から情報を読み出すことができ、且つ、プロセッサが記憶媒体に情報を書き込むことができるように、プロセッサに結合される。代案では、記憶媒体はプロセッサと一体であってもよい。プロセッサと記憶媒体は、ＡＳＩＣに存在してもよい。ＡＳＩＣはユーザ端末に存在してもよい。代案では、プロセッサと記憶媒体は、ユーザ端末内の別個のコンポーネントとして存在してもよい。
【００７９】
１つ又は複数の例示の設計において、記載された機能は、ハードウェア、ソフトウェア、ファームウェア、又はこれらの任意の組合せで実施されてもよい。ソフトウェアで実施される場合、機能は、コンピュータ読み取り可能な媒体上の１つ又は複数の命令又はコードとして格納されるか、あるいは１つ又は複数の命令又はコードとして送信されてもよい。コンピュータ読み取り可能な媒体は、ある場所から別の場所へのコンピュータプログラムの転送を容易にする、任意の媒体を備える通信媒体とコンピュータ記憶媒体との両方を備える。記憶媒体は、汎用のコンピュータ又は特殊用途のコンピュータによってアクセスされることができる任意の利用可能な媒体であってもよい。一例として、そのようなコンピュータ読み取り可能な媒体は、ＲＡＭ、ＲＯＭ、ＥＥＰＲＯＭ、ＣＤ−ＲＯＭ若しくは他の光ディスク記憶装置、磁気ディスク記憶装置若しくは他の磁気記憶装置、又は、汎用のプロセッサ若しくは特殊目的のプロセッサ、又は汎用のコンピュータ若しくは特殊目的のコンピュータによってアクセスされることができる命令若しくはデータ構造の形式で、所望のプログラムコード手段を格納又は伝えるために用いることができる任意の他の媒体を備えることができる。また、任意の接続はコンピュータ読み取り可能な媒体と適当に称される。例えば、同軸ケーブル、光ファイバケーブル、ツイストペア、デジタル加入者線（ＤＳＬ）、又は、赤外線、無線、及びマイクロ波といった無線技術を用いて、ソフトウェアがウェブサイト、サーバ、又は他の遠隔ソースから送信される場合、同軸ケーブル、光ファイバケーブル、ツイストペア、ＤＳＬ、又は、赤外線、無線、及びマイクロ波といった無線技術は、媒体の定義に含まれる。本明細書で用いられるように、ディスク（disk）及びディスク（disc）は、ディスクが通常、データを磁気的に再生する、コンパクトディスク（ＣＤ）、レーザーディスク（登録商標）、光ディスク、デジタル・バーサタイル・ディスク（ＤＶＤ）、フロッピー（登録商標）ディスク及びブルーレイ・ディスク（登録商標）を含む一方で、ディスク（discs）はレーザを用いてデータを光学的に再生する。上記のものの組み合わせも、コンピュータ読み取り可能な媒体の範囲内に含まれるべきである。
【００８０】
本開示の先行する記載は、如何なる当業者も本開示を作成又は使用することを可能にすべく提供されている。本開示への種々の変更は当業者には容易に明白になるだろうし、また、本明細書に定義された一般的な原理は、本開示の範囲又は精神から逸脱することなく他のバリエーションに適用されてもよい。従って、本開示は、本明細書に開示された例及び設計に限定されることは意図されないが、本明細書に開示された新規な特徴及び原理と一致する最も広い範囲に合致すべきものである。
【図１】
2010508785.tif 000004
【図２】
2010508785.tif 000005
【図３】
2010508785.tif 000006
【図４】
2010508785.tif 000007
【図５】
2010508785.tif 000008
【図６】
2010508785.tif 000009
【図７】
2010508785.tif 000010
【図８】
2010508785.tif 000011
【図９】
2010508785.tif 000012
【図１０】
2010508785.tif 000013
【図１１】
2010508785.tif 000014
【図１２】
2010508785.tif 000015
【図１３】
2010508785.tif 000016
【図１４】
2010508785.tif 000017
【図１５】
2010508785.tif 000018
【図１６】
2010508785.tif 000019
【図１７】
2010508785.tif 000020
【国際調査報告】
2010508785.tif 000021
2010508785.tif 000022
2010508785.tif 000023